(57)【要約】【課題】閉扉状態ではヒンジ部材の着脱ができないようにする。【解決手段】扉１５は、保存庫本体１０の出入口１３の口縁に固定された上下のヒンジプレート３１のヒンジピン３５を、一側縁の上下の面に設けられた嵌合孔３７に嵌めることで揺動開閉可能に支持される。ヒンジプレート３１は、取付板３３に開口された長孔状の挿通孔４１を、出入口１３の口縁に形成されたねじ孔に合わせてねじ４０をねじ込むことで固定されるが、このねじ止め部が３箇所設定されている。閉扉状態では、右端のねじ止め部４３Ｃのみが露出し、左側の２箇所のねじ止め部４３Ａ，４３Ｂは、扉１５で隠される。これらは、扉１５が開放されて初めて前面に露出した状態となる。これにより、閉扉状態ではヒンジプレート３１を外すことができず、そのため施錠機構が施されていれば、その構造の如何に拘わらず、扉１５が不必要に開放されることが防止される。【選択図】  図５
2004308985.tif 000002
【特許請求の範囲】
【請求項１】
貯蔵庫本体に形成された出入口には、扉が前記出入口の口縁に取り付けられたヒンジ部材を介して開閉可能に装着された貯蔵庫において、
前記ヒンジ部材を前記出入口の口縁に取付具で固定する部位が、前記扉が閉じた状態においてこの扉で隠される位置に設定されていることを特徴とする貯蔵庫。
【請求項２】
前記ヒンジ部材には取付具で固定する部位が複数設けられ、その固定部位のうちの少なくとも１つが、前記扉が閉じた状態において外部からの着脱操作可能に露出した位置に設定されていることを特徴とする請求項１記載の貯蔵庫。
【請求項３】
前記ヒンジ部材と前記扉とのいずれか一方に立てられたヒンジピンが、他方に設けられたヒンジ受けに嵌合されることで、前記扉が開閉可能に支持されていることを特徴とする請求項１または請求項２記載の貯蔵庫。
【発明の詳細な説明】
【０００１】
【発明の属する技術分野】
本発明は貯蔵庫に関し、特に扉の装着部分の構造の改良に関する。
【０００２】
【従来の技術】
従来、冷蔵庫の扉装置の一例として、特許文献１に記載されたものが知られている。このものは、冷蔵庫本体の前面に開口された出入口における一側縁の上下両側に、それぞれ下向きまたは上向きのヒンジピンが立てられたヒンジプレートが取り付けられるとともに、扉の対応する側縁の上下両端面に、ヒンジピンが嵌合可能な軸受孔が形成され、上下のヒンジピンが対応する軸受孔に嵌合されることで扉が回動可能に支持され、出入口を開閉するようになっている。
ここで扉を取り付ける際、傾き等取付位置の調整を行う必要があるが、扉の姿勢は閉じている場合の方が見やすいことから、扉が閉じた状態でヒンジプレートの取り付けまたは取り外しができる構造となっていた。
【０００３】
【特許文献１】
特開平７−３０５９４４号公報
【０００４】
【発明が解決しようとする課題】
一方、この種の冷蔵庫では、扉が不必要に開放できないにように施錠機構を設けたものがある。しかるに上記のように扉が閉じた状態でヒンジプレートが着脱できるようになっていると、施錠機構の構造によっては、施錠されているにも拘わらずヒンジプレートを取り外すことで扉が開けられてしまうおそれがあり、さらなる改良が切望されていた。
本発明は上記のような事情に基づいて完成されたものであって、その目的は、閉扉状態ではヒンジ部材の着脱ができないようにするところにある。
【０００５】
【課題を解決するための手段】
上記の目的を達成するための手段として、請求項１の発明は、貯蔵庫本体に形成された出入口には、扉が前記出入口の口縁に取り付けられたヒンジ部材を介して開閉可能に装着された貯蔵庫において、前記ヒンジ部材を前記出入口の口縁に取付具で固定する部位が、前記扉が閉じた状態においてこの扉で隠される位置に設定されている構成としたところに特徴を有する。
請求項２の発明は、請求項１に記載のものにおいて、前記ヒンジ部材には取付具で固定する部位が複数設けられ、その固定部位のうちの少なくとも１つが、前記扉が閉じた状態において外部からの着脱操作可能に露出した位置に設定されているところに特徴を有する。
請求項３の発明は、請求項１または請求項２に記載のものにおいて、前記ヒンジ部材と前記扉とのいずれか一方に立てられたヒンジピンが、他方に設けられたヒンジ受けに嵌合されることで、前記扉が開閉可能に支持されているところに特徴を有する。
【０００６】
【発明の作用及び効果】
＜請求項１の発明＞
ヒンジ部材における取付具で固定される部位が、閉扉状態では扉で隠されることから、閉扉状態ではヒンジ部材を外すことができない。そのため、施錠機構が施されていれば、その構造の如何に拘わらず、扉が不必要に開放されることを確実に防止できる。
＜請求項２の発明＞
閉扉状態において扉で隠れる固定部位については、開扉状態で取付具により仮止めし、扉を閉じたのち露出した側の固定部位を取付具で固定し、再度開扉状態として隠れる側の固定部位を本止めするといった取り付けの方法を採ることができる。
実質的に扉を閉じた状態で取り付けることができ、取り付けの位置調整等を簡単にかつ正確に行うことができる。
【０００７】
＜請求項３の発明＞
例えば上側のヒンジ部材について、隠れる固定部位を仮止めしてそこを中心にヒンジ部材を正規姿勢から側方に回動させて逃がし、扉を下側のヒンジ部材で支持したのち、上側のヒンジ部材を正規姿勢に向けて回動して、ヒンジピンをヒンジ受けに嵌めるといった取付手順を踏むことができる。扉を上げ下げしてヒンジピンをヒンジ受けに抜き差しする必要がなく、扉の取り付け取り外し作業がより簡単となる。
【０００８】
【発明の実施の形態】
以下、本発明の一実施形態を添付図面に基づいて説明する。
本実施形態では、例えば農産物等を保存することに用いるプレハブ式の保存庫を例示している。
図１及び図２において、符号１０は保存庫本体であって、複数枚の断熱パネルを組み立てることで前面を開口した縦長の箱形に形成され、底面に設けられた脚１１で支持されている。本体１０の内部は保存室１２とされるとともに、前面開口が出入口１３となっており、この出入口１３には、詳しくは後記するように、断熱パネルからなる扉１５が、正面から見た右側縁側で揺動開閉可能に支持されている。扉１５の表面の左側縁には開閉操作用のハンドル１６が設けられている。
本体１０の天井壁の上には、冷凍装置等を収容した機械室１８が設けられ、冷却器で生成された冷気が保存室１２内に循環供給されることで、所定の冷却温度に維持されるようになっている。
【０００９】
また、扉１５が不必要に開放されないための施錠機構２０が備えられている。図７に示すように、本体１０の出入口１３の左側縁における端面には、先端に頭部を設けた被掛止棒２１が突設されている。一方、扉１５における自由端側の裏面にはロック部材２３が取り付けられ、キー操作部２４が表面側に臨んでいる。ロック部材２３は、キー２５の操作によって掛止片２６の位置が横向きと下向きとに変えられるものであり、開位置では、図８（Ａ）及び図９の鎖線に示すように掛止片２６が下を向いて被掛止棒２１から外れ、キー２５を閉位置に向けて時計方向に９０度回すと、図８（Ｂ）及び図９に示すように、掛止片２６が横向きの姿勢を取って被掛止棒２１に掛止し、扉１５の開放が阻止されるようになっている。
【００１０】
続いて、扉１５の支持構造を説明する。
扉１５は、正面から見た右側縁の上下両端部がヒンジ機構３０によって支持されている。そのため、図３に示すように、上下一対のヒンジプレート３１が備えられている。ヒンジプレート３１は金属製であって上下対称形状に形成され、全体としては横長のアングル状をなし、水平方向を向いた板面が支持板３２で、鉛直方向を向いた板面が取付板３３となっている。
【００１１】
支持板３２は、外側（図３の右手前側）に向けて次第に幅が広くなるように形成され、この支持板３２における手前側の端縁に沿った位置の外側の端部よりも少し入った位置に、金属製のヒンジピン３５が圧入またはねじ止め等によって取り付けられている。ヒンジピン３５は、上側のヒンジプレート３１では下向きに、下側のヒンジプレート３１では上向きにそれぞれ取り付けられている。
下側のヒンジピン３５の基端側の外周には、合成樹脂製のヒンジカラー３６が回転可能に嵌装されるようになっている。
一方、扉１５の右側縁の上下両端面には、上下のヒンジピン３５がそれぞれ嵌合可能な嵌合孔３７が形成されている。嵌合孔３７の内面には、摩擦抵抗の小さい合成樹脂製のカラー等が嵌着されていることが望ましい。
【００１２】
ヒンジプレート３１における取付板３３には、横長の長孔状をなす３個のねじ４０の挿通孔４１Ａ，４１Ｂ，４１Ｃが横一列に並んで形成されている。これらの第１、第２及び第３の挿通孔４１Ａ，４１Ｂ，４１Ｃは、それぞれ取付板３３の左端位置、中央から少し左に寄った位置及び右端位置に形成されている。
一方、本体１０の出入口１３の口縁における右上隅と右下隅には、３個の第１、第２及び第３のねじ孔４２Ａ，４２Ｂ，４２Ｃが、上記したヒンジプレート３１のねじ４０の挿通孔４１Ａ，４１Ｂ，４１Ｃに対応したピッチで形成されている。より詳細には、３個のねじ孔４２Ａ，４２Ｂ，４２Ｃは、本体１０の前面の上縁（または下縁）に沿うように横方向に並んで形成され、第１と第２のねじ孔４２Ａ，４２Ｂが出入口１３の右側縁よりも左側の位置に、第３のねじ孔４２Ｃが本体１０の前面の右側縁に寄った位置にそれぞれ形成されている（図４参照）。
なお、第１ないし第３の挿通孔４１Ａ，４１Ｂ，４１Ｃと、第１ないし第３のねじ孔４２Ａ，４２Ｂ，４２Ｃの組を、それぞれ第１ないし第３のねじ止め部４３Ａ，４３Ｂ，４３Ｃと言う。
【００１３】
ヒンジプレート３１が、各挿通孔４１Ａ，４１Ｂ，４１Ｃをねじ孔４２Ａ，４２Ｂ，４２Ｃに合わせて出入口１３の口縁に当てられると、図６に代表して示すように、上側のヒンジプレート３１では支持板３２が本体１０の前面の上縁から上方に突出し、下側のヒンジプレート３１では支持板３２が本体１０の前面の下縁から下方に突出した状態となる。
また最終的には、各ねじ止め部４３Ａ，４３Ｂ，４３Ｃにおいて、挿通孔４１Ａ，４１Ｂ，４１Ｃに通したねじ４０をねじ孔４２Ａ，４２Ｂ，４２Ｃに螺合して締め付けることで固定されるが、特筆すべきは、扉１５が閉鎖した状態では、図５に示すように、右端の第３ねじ止め部４３Ｃのみが前面からの操作可能に露出し、左側の第１と第２のねじ止め部４３Ａ，４３Ｂは、扉１５で隠された状態となる。この第１と第２のねじ止め部４３Ａ，４３Ｂは、図６に示すように、扉１５が開放されて初めて前面からの操作可能に露出した状態となる。
【００１４】
なお扉１５の裏面の周縁にはマグネットパッキン４５が装着され、扉１５が閉じられた場合に、出入口１３の口縁に吸着されて密閉するようになっている。
本実施形態は上記のような構造であって、扉１５は以下のように組み付けられる。
まず、下側のヒンジプレート３１が、本体１０の前面の出入口１３の右下隅に当てられ、図２に示すように、各ねじ止め部４３Ａ，４３Ｂ，４３Ｃにおいてねじ４０が締め込まれて固定される。上を向いたヒンジピン３５の基端側にはヒンジカラー３６が嵌装される。一方、上側のヒンジプレート３１は、第１ねじ止め部４３Ａのみが仮止めされ、図４に示すように、ヒンジピン３５が上方に退避した起立姿勢に仮保持される。
【００１５】
この状態から、扉１５の下側の嵌合孔３７が、下側のヒンジプレート３１から立てられたヒンジピン３５に嵌められる。扉１５は、下側のヒンジピン３５を中心として閉じた姿勢に揺動され、続いて上側のヒンジプレート３１が第１ねじ止め部４３Ａを中心として図４の矢線方向に回動されて、上側のヒンジプレート３１の下向きのヒンジピン３５が、扉１５の上側の嵌合孔３７に嵌められる（図５参照）。
そして、扉１５の上縁が本体１０の上面と平行となっているか等を見つつ、扉１５の傾き等を正規に調整し、調整が完了したら、図５に示すように、前面に露出している第３ねじ止め部４３Ｃにねじ４０を締め込んで固定する。
最後に、図６に示すように扉１５を開放し、第２ねじ止め部４３Ｂにねじ４０を締め込んで固定するとともに、仮止めされていた第１ねじ止め部４３Ａを本止めする。
【００１６】
以上により扉１５の組み付けが完了し、扉１５は上下のヒンジピン３５を中心として揺動しつつ出入口１３を開閉する。また、閉扉状態から必要に応じて施錠機構２０のキー２５を閉位置に操作すると、図８（Ｂ）に示すように扉１５が閉鎖状態にロックされる。
ここで仮に、上下のヒンジプレート３１のすべてのねじ止め部４３Ａ，４３Ｂ，４３Ｃが閉扉状態において前面からの操作可能に露出しており、言い換えるとヒンジプレート３１を外すことが可能であると、施錠機構２０が上記のような構造の場合には、折角施錠されていてもヒンジプレート３１を外せば扉１５が開けられてしまうおそれがある。
その点この実施形態では、ヒンジプレート３１の３箇所のねじ止め部４３Ａ，４３Ｂ，４３Ｃのうちの内側の２箇所のねじ止め部４３Ａ，４３Ｂは、閉扉状態において扉１５で隠されるようになっているから、ヒンジプレート３１は外すことができず、施錠されている限り扉１５を開けることはできない。
【００１７】
保存庫の設置使用後に、扉１５の位置ずれを調整する場合も、扉１５を開けて第１と第２のねじ止め部４３Ａ，４３Ｂを緩めて仮止め状態とするとともに、扉１５を閉めて第３ねじ止め部４３Ｃを緩めて仮止め状態とし、長孔状の挿通孔４１Ａ，４１Ｂ，４１Ｃを利用して扉１５の傾き等を調整したのち、第３ねじ止め部４３Ｃを本止めし、続いて開扉して第１と第２のねじ止め部４３Ａ，４３Ｂを本止めするといった手順を踏むことで、簡単に対応することができる。
【００１８】
以上説明したように本実施形態によれば、ヒンジプレート３１を取り付けるに当たって設けられた３箇所のねじ止め部４３Ａ，４３Ｂ，４３Ｃのうちの、内側の２箇所のねじ止め部４３Ａ，４３Ｂが、閉扉状態では扉１５で隠される構造であるから、閉扉状態でヒンジプレート３１を外すことができない。そのため、施錠機構２０が施されていれば、その構造の如何に拘わらず、扉１５が不必要に開放されることを確実に防止でき、盗難防止等に万全を期することができる。
【００１９】
３箇所のねじ止め部４３Ａ，４３Ｂ，４３Ｃのうちの１箇所のねじ止め部４３Ｃは、閉扉状態で前面からの操作可能に露出する設定としたから、例えば、閉扉状態において扉１５で隠れる側のねじ止め部４３Ａ，４３Ｂについては、少なくとも１箇所を開扉状態で仮止めし、扉１５を閉じたのち露出した側のねじ止め部４３Ｃを固定し、再度開扉状態として隠れる側のねじ止め部４３Ａ，４３Ｂを本止めするといった取り付けの方法を採ることができる。したがって、実質的に扉１５を閉じた状態で取り付けることができ、位置調整等を簡単にかつ正確に行うことができる。
【００２０】
さらに、上側のヒンジプレート３１について、隠れる側のねじ止め部４３Ａ，４３Ｂの１箇所を仮止めしてそこを中心にヒンジプレート３１を正規姿勢から上方に回動させて逃がし、扉１５を下側のヒンジプレート３１で支持したのち、上側のヒンジプレート３１を正規姿勢に向けて回動して、ヒンジピン３５を嵌合孔３７に嵌めるといった取付手順を踏むことができる。扉１５を上げ下げしつつ上側の嵌合孔３７をヒンジピン３５に抜き差しする必要がなく、扉１５の取り付け取り外し作業をより簡単に行うことが可能となる。
【００２１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）ヒンジ機構は、扉側にヒンジピンが、ヒンジプレート側に嵌合孔が設けられた構造であってもよい。
（２）閉扉状態で隠れる側のねじ止め部の数は、１または３以上であってもよく、また、露出する側のねじ止め部の数は、２以上であってもよい。
【００２２】
（３）閉扉状態におけるヒンジプレートの取り外し防止のみを考慮すれば、ねじ止め部がすべて閉扉状態で隠れる設定となっていてもよく、そのようなものも本発明の技術的範囲に含まれる。
（４）本発明は、上記実施形態に例示したプレハブ式の保存庫以外にも、冷蔵庫、冷凍冷蔵庫、温蔵庫等の要はヒンジ機構により扉を開閉可能に支持した貯蔵庫全般に広く適用することができる。
【図面の簡単な説明】
【図１】本発明の一実施形態に係る保存庫の斜視図
【図２】その分解斜視図
【図３】扉の支持部分の部分分解斜視図
【図４】ヒンジプレートを仮止めして退避させた状態の正面図
【図５】閉扉して第３ねじ止め部を固定した状態の正面図
【図６】全ねじ止め部を固定した状態の一部切欠正面図
【図７】施錠機構を示す斜視図
【図８】施錠機構の開閉動作を示す一部切欠正面図
【図９】その平断面図
【符号の説明】
１０…保存庫本体（貯蔵庫本体）  １３…出入口  １５…扉  ３１…ヒンジプレート（ヒンジ部材）  ３３…取付板  ３５…ヒンジピン  ３７…嵌合孔（ヒンジ受け）  ４０…ねじ（取付具）  ４１Ａ，４１Ｂ，４１Ｃ…（ねじ４０の）挿通孔  ４２Ａ，４２Ｂ，４２Ｃ…ねじ孔  ４３Ａ，４３Ｂ，４３Ｃ…ねじ止め部（固定部位）
【図１】
2004308985.tif 000003
【図２】
2004308985.tif 000004
【図３】
2004308985.tif 000005
【図４】
2004308985.tif 000006
【図５】
2004308985.tif 000007
【図６】
2004308985.tif 000008
【図７】
2004308985.tif 000009
【図８】
2004308985.tif 000010
【図９】
2004308985.tif 000011